(57)【特許請求の範囲】
【請求項１】
容器の口筒部に装着されるベースにスリットバルブが設けられたキャップ本体と、スリットバルブを押圧する膨出部を有してベースに対して着脱可能に固定される蓋体とを備えるスリットバルブ付きキャップであって、
前記ベースに、蓋体を閉じるときに前記膨出部と接触してスリットバルブの表面に倣った形状に変形するシート部材を設けたことを特徴とするスリットバルブ付きキャップ。
【請求項２】
請求項１において、前記シート部材は、伸縮性を有するものであることを特徴とするスリットバルブ付きキャップ。
【請求項３】
請求項１又は２において、前記シート部材は、ベースに設けられたスリットバルブを取り囲む開口部の周縁部に取り外し可能に接着されるものであることを特徴とするスリットバルブ付きキャップ。
【発明の詳細な説明】
【技術分野】
【０００１】
本発明は、容器の口筒部に装着されるベースにスリットバルブが設けられたキャップ本体と、スリットバルブを押圧する凸部を有してベースに対して着脱可能に固定される蓋体とを備えるスリットバルブ付きキャップに関するものである。
【背景技術】
【０００２】
スリットバルブは、スリットの開閉によって内容液の注出及び容器内の密封を行うところ、長期に渡る使用によってスリットが密着すると、円滑な開閉が困難になることがある。このため、出願人は、蓋体の内側に、スリットバルブに接触する凸部を設けることで、スリットの密着を防止する技術を提案済みである（例えば、「特許文献１」参照）。
【０００３】
これに対し、容器そのものの密封性を確保するとともに、その未使用状態を保証する手段としては、容器の口筒部にシール片をヒートシールするものが知られている（例えば、「特許文献２」［００２５］参照）。
【先行技術文献】
【特許文献】
【０００４】
【特許文献１】特許第３５２３０２１号公報
【特許文献２】特開２００８−７４４６８号公報
【発明の概要】
【発明が解決しようとする課題】
【０００５】
しかしながら、容器の口筒部にシール片を取り付けることで、スリットバルブの癒着を防止しつつ、未使用状態を保証しようとすると、キャップを一旦取り外してシール片を取り除いた後、再度、キャップを容器に取り付ける必要がある。このため、従来の技術では、未使用状態から使用可能状態にするまでの作業が煩雑で改善の余地があった。
【０００６】
本発明の目的とするところは、スリットバルブの密着を防止しつつ未使用状態を保証でき、しかも、キャップを容器から取り外すことなく、使用可能状態にすることができる、新規なスリットバルブ付きキャップを提供することにある。
【課題を解決するための手段】
【０００７】
本発明は、容器の口筒部に装着されるベースにスリットバルブが設けられたキャップ本体と、スリットバルブを押圧する膨出部を有してベースに対して着脱可能に固定される蓋体とを備えるスリットバルブ付きキャップであって、
前記ベースに、蓋体を閉じるときに前記膨出部と接触してスリットバルブの表面に倣った形状に変形するシート部材を設けたことを特徴とするものである。
【０００８】
前記シート部材としては、例えば、スリットバルブの表面に倣った形状に反転するものや、伸縮性を有するものが挙げられる。
【０００９】
前記シート部材は、ベースに設けられたスリットバルブを取り囲む開口部の周縁部に取り外し可能に接着することができる。
【発明の効果】
【００１０】
本発明によれば、スリットバルブが設けられたベースに、蓋体を閉じるときにその膨出部と接触してスリットバルブの表面に倣った形状に変形するシート部材を設けたことで、スリットの密着を防止することができるとともに、未使用時における密閉性を高めることができる。
【００１１】
また、蓋体を取り外したとき、ベースにシート部材が設けられていることで、容器からキャップ本体を取り外すことなく、未使用状態を確認することができる。加えて、使用を開始するときも、容器からキャップ本体を取り外すことなく、ベースからシート部材を取り除くだけで、容器が使用可能状態となる。
【００１２】
従って、本発明によれば、スリットバルブの密着を防止しつつ未使用状態を保証でき、しかも、キャップ本体を容器から取り外すことなく、使用可能状態にすることができる。
【図面の簡単な説明】
【００１３】
【図１】本発明のスリットバルブ付きキャップの一実施形態を示す要部断面図である。
【図２】同実施形態において、蓋体を取り外した状態を示す要部断面図である。
【発明を実施するための形態】
【００１４】
以下、図面を参照して、本発明の一実施形態を詳細に説明する。
【００１５】
図１中、符号１は、口筒部１ａを有し内容液として充填する合成樹脂製の容器である。口筒部１ａには、肩部１ｂを介して胴部が一体に繋がる。口筒部１ａの上端１ｅには、内容液の充填空間Ｓ１に通じる開口部Ａ１が形成されている。
【００１６】
符号Ｃは、スリットバルブ付きキャップ（以下、「キャップ」）である。符号Ｃ１は、キャップＣを構成するキャップ本体である。キャップ本体Ｃ１は、口筒部１ａに装着されるベース２と、ベース２に設けられたスリットバルブ３を有する。
【００１７】
ベース２は、スリットバルブ３を取り囲む筒体部２ａを有し、その内側に形成された開口部Ａ２に、スリットバルブ３が配置される。
【００１８】
筒体部２ａの下端には、径方向外側に拡径する環状の平坦部２ｂが一体に形成されている。平坦部２ｂは、スリットバルブ３に設けられた環状平板部３ａを下方から接触させることでスリットバルブ３を抜け止め保持する。また、平坦部２ｂには、環状平板部３ａを取り囲む周壁部２ｃが一体に設けられている。周壁部２ｃの内周面には、スリットバルブ３を保持する環状の保持部材４が固定されている。
【００１９】
保持部材４は、環状平板部３ａの下面に設けた環状凹部３ｎに嵌合する環状凸部４ｐを有する。また、保持部材４は、周壁部２ｃに対して例えば、凹凸嵌合等の方法により固定される。
【００２０】
更に周壁部２ｃの下端には、径方向外側に拡径する環状の肩部２ｄが一体に形成されている。肩部２ｄには、口筒部１ａに装着するための装着筒２ｅが一体に設けられている。装着筒２ｅは、口筒部１ａに対して凹凸嵌合等の方法により固定される。これにより、キャップ本体Ｃ１を容器１に対して装着することができる。なお、装着筒２ｅをネジ構造とし、口筒部１ａに螺合することもできる。
【００２１】
なお、肩部２ｄは、口筒部１ａの上端１ｅに接触して開口部Ａ１を閉じる。また肩部２ｄには、シール筒部２ｆが一体に設けられている。シール筒部２ｆは、口筒部１ａの内周面に嵌合する。
【００２２】
スリットバルブ３は、変形及び復元が可能な合成樹脂からなる。スリットバルブ３は、環状平板部３ａの内縁部に支持筒部３ｂが一体に成形されている。支持筒部３ｂは、環状平板部３ａに連結された基端から一体に起立し、その内側に環状平板部３ａとともに中空部Ｓ２を形成する。また、支持筒部３ｂは、環状平板部３ａから遠ざかるに従って縮径する傾斜筒を構成する。
【００２３】
更に、支持筒部３ｂの先端には、可動部３ｃが一体に設けられている。可動部３ｃは、前記中空部Ｓ２の一端を閉じ、中空部Ｓ２側（環状平板部３ａ側）に湾曲する凹形状をしてなる。可動部３ｃは、支持筒部３ｂを起点に上下方向に動かすことができる。可動部３ｃには、スリット３ｓが形成されている。これにより、可動部３ｃは、スリットバルブ３内の中空部Ｓ２を通る内容液に応じて開閉することができる。スリット３ｓは、一文字の形状や十文字の形状など、その形状は問わない。
【００２４】
符号５は、ベース２に取り付けられるシート部材である。シート部材は、例えば伸縮性をするシート部材で構成されている。シート部材５は、筒体部２ａの上端縁２ａ1に対して取り外し可能に接着する。前記シート部材５としては、単層フィルム、積層フィルム、アルミ箔など、種々のものを採用することができる。
【００２５】
符号Ｃ２は、キャップ本体Ｃ１とともに、キャップＣを構成する蓋体である。蓋体Ｃ２は、肩部２ｄを取り囲む外装筒６と、この外装筒６の上端に設けられた天壁７によって有頂筒状に形成されている。外装筒６は、装着筒２ｅの上端に形成された環状の段部２ｅ1に着座して位置決めされる。
【００２６】
一方、平坦部２ｂには、径方向外向きに突出するリブ２ｒが設けられている。これに対し、天壁７の裏面には、係合筒８が一体に設けられている。係合筒８には、リブ２ｒに対して取り外し可能に係合する係合突起８ａが一体に設けられている。これにより、蓋体Ｃ２は、キャップ本体Ｃ１に対して取り外し可能に固定することができる。
【００２７】
また、天壁７の裏面には、保持筒部９が一体に設けられている。保持筒部９は、図１に示すように、蓋体Ｃ２を固定したときに筒状部２ａを取り囲むように嵌合保持する。これにより、蓋体Ｃ２をキャップ本体Ｃ１に対して固定すれば、シート部材５とともに、スリットバルブ３を閉じることができる。
【００２８】
加えて、天壁７の裏面には、膨出部７ａが設けられている。膨出部７ａは、蓋体Ｃ２を固定してスリットバルブ３を閉じるときに、可動部３ｃを押圧する。このとき、本形態のように、シート部材５が膨出部７ａとスリットバルブ３の可動部３ｃとの間に配置されている場合には、シート部材５が伸縮性を有するため、可動部３ｃの表面に倣った形状に伸張する。これにより、口筒部１ａにシール部材を設けることなく、スリットバルブ３とともに、口筒部１ａを密封することができる。
【００２９】
また、蓋体Ｃ２を取り外せば、例えばシート部材５は、その伸縮性によって、図２に示すように、筒体部２ａの開口部Ａ２を覆った状態に復元する。このため、使用者は、筒体部２ａから環状にはみ出したシート部材５のはみ出し部分５ａを摘んで引っ張れば、シート部材５を筒体部２ａから取り除くことができる。なお、復元性を有さないシート部材５を使用してもよい。
【００３０】
上述のように、本実施形態に係る、スリットバルブ付きキャップＣによれば、スリットバルブ３が設けられたベース２に、蓋体Ｃ２を閉じるときにその膨出部７ａと接触して可動部３ｃの表面に倣った形状に伸張するシート部材５を設けたことで、スリット３ｓの密着を防止することができるとともに、密閉性を確保することができる。
【００３１】
また、蓋体Ｃ２を取り外したとき、ベース２にシート部材５が設けられていることで、容器１からキャップ本体Ｃ１を取り外すことなく、未使用状態を確認することができる。加えて、使用を開始するときも、容器１からキャップ本体Ｃ１を取り外すことなく、ベース２からシート部材５を取り除くだけで、容器１が使用可能状態となる。
【００３２】
従って、本形態によれば、スリットバルブ３の密着を防止しつつ未使用状態を保証でき、しかも、キャップ本体Ｃ１を容器１から取り外すことなく、使用可能状態にすることができる。
【００３３】
また、本形態のように、シート部材５として伸縮性を有するものを採用すれば、可動部３ｃの表面形状を問わず、様々な形状のスリットバルブ３に適用させることができる。なお、シート部材５は、本発明に従えば、膨出部７ａと接触することで、可動部３ｃの表面に倣った形状に変形するものであれば、膨出部７ａとの接触によって可動部３ｃの表面に倣った形状に反転するもの等でもよい。
【００３４】
また、本形態のように、シート部材５を、ベース２に設けられたスリットバルブ３を取り囲む開口部Ａ２の周縁部（本形態では、筒体部２ａの上端縁２ａ1）に取り外し可能に接着すれば、使用者が自らシート部材５を取り除くまで、未使用状態を確実に保証することができる。但し、本発明に従えば、シート部材５は、ベース２に固定することなく、キャップ本体Ｃ１と蓋体Ｃ２との間に挟み込んで、キャップ本体Ｃ１と蓋体Ｃ２との間に介在させるだけでもよい。
【００３５】
上述したところは、本発明の一形態を示したにすぎず、特許請求の範囲において、種々の変更を加えることができる。例えば、蓋体Ｃ２は、キャップ本体Ｃ１に対してヒンジ等で一体に連結することもできる。
【産業上の利用可能性】
【００３６】
本発明は、容器の口筒部に装着されるベースにスリットバルブが設けられたキャップ本体と、スリットバルブを押圧する膨出部を有してベースに対して着脱可能に固定される蓋体とを備えるスリットバルブ付きキャップであれば、内容液の成分等は問わず、様々な容器に適用することができる。
【符号の説明】
【００３７】
１      容器本体
１ａ    口筒部
２      ベース
２ａ    筒体部
２ａ1   筒体部の上端縁
２ｂ    平坦部
２ｃ    周壁部
２ｄ    肩部
２ｅ    装着筒
２ｅ1   段部
２ｆ    シール筒部
２ｒ    リブ
３      スリットバルブ
３ａ    環状平板部
３ｂ    支持筒部
３ｃ    可動部
３ｎ    環状凹部
３ｓ    スリット
４      保持部材
４ｐ    環状凸部
５      シート部材
５ａ    はみ出し部分
６      外装筒
７      天壁
７ａ    膨出部
８      係合筒
８ａ    係合突起
９      保持筒部
Ｃ      スリットバルブ付きキャップ
Ｃ１    キャップ本体
Ｃ２    蓋体
Ｓ１    充填空間
Ｓ２    中空部
【図１】
0005897355.tif 000002
【図２】
0005897355.tif 000003